(57)【特許請求の範囲】
【請求項１】
テーブル上に直立した支柱と、該支柱を挿通し、該支柱に昇降、水平方向に１８０°回動調節可能に取り付けるバネ受台と、該バネ受台の上面前部の所要角度の傾斜部に、先端部が下向きになるようにして取り付ける、先端部にセル保持台を支持したバネ材とからなる電解式メッキ厚さ測定器における測定台において、支柱の周面に下端から所要の高さの位置にかけて溝がテーブルと平行する細かい凹凸を形成する一方、バネ受台に穿設した支柱挿通穴を、支柱との間に適宜な隙間ができるように支柱の外径より若干大きくなすと共に、該支柱挿通穴の内面の少なくとも上下の端部に、前記支柱の凹凸と噛合する、前記支柱の凹凸と同様の凹凸を形成したことを特徴とする電解式メッキ厚さ測定器における測定台。
【発明の詳細な説明】
【０００１】
【発明の属する技術分野】
本発明は電解式メッキ厚さ測定器における測定台に関するものである。
【０００２】
【従来の技術】
電解式メッキ厚さ測定器は、セルに被測定物のメッキを電解する電解液を入れ、該セルの下部に取り付けたガスケットを被測定物のメッキ面に圧接し、被測定物からセルに一定の電流を電解し終わるまで流し続け、その電気量から電解されたメッキの量を測り、それによってメッキの厚さを測定するものである。
【０００３】
そして、斯かる測定器にあっては、テーブル上に載置された被測定物に、更に正確には被測定物上のメッキ面にガスケットを一定の圧力で且つ直角に圧接させなければならないことから特別な測定台を必要とする。
【０００４】
このため、本発明者は先に図６に示す如き測定台を案出した。尚、該測定台は特公昭６３−２４２４１号公報に示されている通りである。
【０００５】
図６に示した測定台は、テーブル１００上に直立した支柱１０１と、該支柱１０１を挿通し、該支柱１０１に昇降、水平方向に１８０°回動調節可能に取り付けたバネ受台１０２と、該バネ受台１０２の上面前部の所要角度の傾斜部１０２ａに、先端部が下向きになるようにして取り付ける、先端部にセル保持台１０３を支持したバネ材１０４とからなるものである。また、１０５はセル、１０６はガスケット、１０７は被測定物である。
【０００６】
斯かる測定台は、加圧装置としては一枚のバネ材のみで従来例における多数の部品を代用し、したがって従来例に比して部品点数を著しく減少させることができ、而もガスケットを被測定物の測定面に対して一定の圧力で且つ直角に圧接するに際して、従来例の如き煩雑な操作が一切必要でなくなり、きわめて容易且つ迅速に行うことができるという効果を奏するものである。
【０００７】
【発明が解決しようとする課題】
しかし、また実際に使用する上において改良すべき問題点も出てきた。それは次の点である。該測定台にあっては、テーブル１００上に載置した被測定物１０７の測定位置にガスケット１０６を合わせるとき、先ずガスケット１０６を手で押さえながらガスケット１０６が直角になるようバネ受台１０２を昇降して調節し、その後ガスケット１０６から手を離し、今度はバネ受台１０２を押さえて位置固定用螺子１０２ｂを締めつけ、バネ受台１０２を支柱１０１の適所に固定するものである。
【０００８】
しかし、斯かる操作においては、ガスケット１０６から一旦手を離し、バネ受台１０２に手を移しかえるときにガスケット１０６が測定位置からずれたり、直角でなくなったりすることがあった。また、位置固定用螺子１０２ｂの締めつけ時の振動でバネ材１０４が小刻に動き、ガスケット１０６の位置がずれたり角度が変わることもあった。そして、このようにガスケットの正確な位置合わせや角度の保持を行うことが難しい上に、手を移しかえたり、位置固定用螺子１０２ｂをネジ回す作業も必要であり、設定作業に手間どるといった問題点もあった。
【０００９】
本発明は上記の点に鑑みなされたものであって、ガスケットの位置がずれたり角度が変わることがなく、而も迅速に設定作業を行うことができるようになした測定台を提供せんとするものである。
【００１０】
【課題を解決するための手段】
而して、本発明の要旨は、テーブル上に直立した支柱と、該支柱を挿通し、該支柱に昇降、水平方向に１８０°回動調節可能に取り付けるバネ受台と、該バネ受台の上面全部の所要角度の傾斜部に、先端部が下向きになるようにして取り付ける、先端部にセル保持台を支持したバネ材とからなる電解式メッキ厚さ測定器における測定台において、支柱の周面に下端から所要の高さの位置にかけて溝がテーブルと平行する細かい凹凸を形成する一方、バネ受台に穿設した支柱挿通穴を、支柱との間に適宜な隙間ができるように支柱の外径より若干大きくなすと共に、該支柱挿通穴の内面の少なくとも上下の端部に、前記支柱の凹凸と噛合する、前記支柱の凹凸と同様の凹凸を形成したことを特徴とする電解式メッキ厚さ測定器における測定台にある。
【００１１】
【発明の実施の形態】
以下、本発明の好適な実施の形態について図面を参照して説明する。
図１は正面図、図２は一部省略して示した支柱の正面図、図３はバネ受台の中央縦断正面図、図４及び図５は作用説明図である。
【００１２】
図中、１はテーブル、２は該テーブル１上に直立した支柱である。また、該支柱２は、周面に下端から所要の高さの位置にかけて溝がテーブル１と平行する細かい凹凸３を形成している。
【００１３】
４は前記支柱２を挿通し、該支柱２に昇降、水平方向１８０°回動調節可能に取り付けるバネ受台である。また、該バネ受台４は、支柱挿通穴５を支柱２との間に適宜な隙間ができるように支柱の外径より若干大きくなすと共に、該支柱挿通穴５の内面の少なくとも上下の端部に、前記支柱２の凹凸３と噛合する、前記支柱の凹凸３と同様の凹凸６を形成している。
【００１４】
７は前記バネ受台４の上面前部の所要角度の傾斜部４ａに、先端部が下向きになるようにして取り付けたバネ材である。そしてまた該バネ材７の先端部にはセル保持台８を固定している。また、９はセル、１０はガスケット、１１は被測定物である。
【００１５】
次に、本実施形態の作用について説明する。
テーブル１上に載置された被測定物１１の測定位置にガスケット１０を片手で押し当てながら、他の一方の手でセル９が垂直になるように図４に示す如くバネ受台４を昇降させる。尚、このときにはバネ受台４の支柱挿通穴５は支柱２より径が若干大きいから、相互の凹凸３、６が噛合しないようにしてバネ受台４を昇降させることができる。そして、セル９が垂直になった位置においてバネ受台４から手を離すと、バネ材７の反力によってバネ受台４の上部側が外方に押し出される。この結果図５に示す如く該バネ受台４は支柱２を中心にして上下で逆方向に傾き、バネ受台４の支柱挿通穴５における上部側の凹凸６のバネ材７側の部分と、下部側の凹凸６のバネ材７と反対側の部分とが同時に噛合し、固定される。
【００１６】
このように、一方の手でガスケット１０を押し当てた状態においてバネ受台４を所定の位置に固定することができ、また従来の如くネジを回す作業も必要としないから、ガスケット１０を被測定物１１の測定位置にずれないように保持することができると共に角度も保持することができるものである。そしてまた、バネ受台４を適宜の位置にずらして手を離せば、バネ材７の反力と支柱２の凹凸３とバネ受台４の凹凸６との噛合によって自動的に所定の位置に固定されるものであるから、設定作業を迅速に行うことができるものである。
【００１７】
【発明の効果】
本発明は上記の如き構成、作用であるから、ガスケットを被測定物の測定位置にずれないように保持することができると共に角度も保持することができるものである。そしてまた設定作業も迅速に行うことができるものである。加えて、本発明者が先に案出した測定台において必要であった位置固定用螺子も不要となるから、コストも軽減することができるものである。
【図面の簡単な説明】
【図１】本発明の全体の正面図である。
【図２】一部省略して示した支柱の正面図である。
【図３】バネ受台の中央縦断正面図である。
【図４】本発明の作用説明図であり、バネ受台を上下方向にずらす操作を示すものである。
【図５】本発明の作用説明図であり、バネ受台が固定された状態を示すものである。
【図６】本発明者が先に案出した測定台の正面図である。
【符号の説明】
１  テーブル
２  支柱
３  凹凸
４  バネ受台
４ａ  傾斜部
５  支柱挿通穴
６  凹凸
７  バネ材
８  セル保持台
９  セル
１０  ガスケット
【図１】
0004046504.tif 000002
【図２】
0004046504.tif 000003
【図３】
0004046504.tif 000004
【図４】
0004046504.tif 000005
【図５】
0004046504.tif 000006
【図６】
0004046504.tif 000007